(57)【要約】      （修正有）【課題】簡単な構造によって、局部のふくらみを抑制することのできる、男性用下着を提供する。【解決手段】腰ゴム６と、後身頃片と、股部片３と、左右の脇部片４Ｒ、４Ｌと、相対的に厚みの大きい生地から構成されるフロントカップ片５と、を備える、男性用下着１である。フロントカップ片５は、所定の厚みの生地を二重に重ね合わされて構成される。さらに、左右の脇部片４Ｒ、４Ｌと、フロントカップ片５と、の間のバインダー部７は、相対的に伸縮性の小さい生地から構成される。【選択図】図１
0003232699.tif 000002
【実用新案登録請求の範囲】
【請求項１】
腰ゴムと、
後身頃片と、
股部片と、
左右の脇部片と、
相対的に厚みの大きい生地から構成されるフロントカップ片と、
を備える、男性用下着。
【請求項２】
前記フロントカップ片は、所定の厚みの生地を二重に重ね合わされて構成される、請求項１に記載された、男性用下着。
【請求項３】
左右の前記脇部片と、前記フロントカップ片と、の間のバインダー部であって、相対的に伸縮性の小さい生地から構成される、バインダー部をさらに備える、請求項１又は請求項２に記載された、男性用下着。
【請求項４】
前記後見頃片と左右の前記脇部片とは、シームレスに一体に製織されている、請求項１乃至請求項３のいずれか一項に記載された、男性用下着。
【考案の詳細な説明】
【技術分野】
【０００１】
本考案は、男性用下着に関するものである。
【背景技術】
【０００２】
近年、細身のスラックスやハーフパンツを履いた際に、局部のふくらみが気になることが多く、自信を持ってパンツスタイルを楽しむことができないことがある。そのような中、局部のふくらみを気にせずに、もっとおしゃれを楽しみたい、という要望から、いくつかの男性用下着（パンツ）が提案されている。
【０００３】
例えば、特許文献１には、男性用下着において、前身頃片の肌側裏面に、前身頃片とほぼ同形に裁断し、腰ゴム地に隣接して小三角形状に形成したパッド挿入口を設けた整容用重合片を縫着し、前身頃片と整容用重合片との間に、前身頃片に相似して略三角形に成形したパッドを収納したことを特徴とする男性用下着、が開示されている。
【先行技術文献】
【特許文献】
【０００４】
【特許文献１】特開２００８−６３７０４号公報
【考案の概要】
【考案が解決しようとする課題】
【０００５】
しかしながら、特許文献１の男性用下着は、整容用重合片を設けたうえで、樹脂製のパッドを収納する構造となっているため、構造が複雑になるうえ、パッド自体のふくらみが不自然である、といった問題があった。
【０００６】
そこで、本考案は、簡単な構造によって、局部のふくらみを抑制することのできる、男性用下着を提供することを目的としている。
【課題を解決するための手段】
【０００７】
前記目的を達成するために、本考案の男性用下着は、腰ゴムと、後身頃片と、股部片と、左右の脇部片と、相対的に厚みの大きい生地から構成されるフロントカップ片と、を備えている。
【考案の効果】
【０００８】
このように、本考案の男性用下着は、腰ゴムと、後身頃片と、股部片と、左右の脇部片と、相対的に厚みの大きい生地から構成されるフロントカップ片と、を備えている。このように、フロントカップ片の生地を厚くするという簡単な構造によって、局部のふくらみを抑制することができる。
【図面の簡単な説明】
【０００９】
【図１】実施例の男性用下着の正面図である。
【図２】実施例の男性用下着の背面図である。
【図３】実施例の男性用下着を部品に分解した分解図である。
【図４】男性用下着を装着した状態を正面から撮影した写真である。（ａ）は従来の男性用下着の例であり、（ｂ）は本実施例の男性用下着の例である。
【図５】男性用下着を装着した状態を側面から撮影した写真である。（ａ）は従来の男性用下着の例であり、（ｂ）は本実施例の男性用下着の例である。
【考案を実施するための形態】
【００１０】
以下、本考案の実施の形態について図面を参照して説明する。ただし、以下の実施例に記載されている構成要素は例示であり、本考案の技術範囲をそれらのみに限定する趣旨のものではない。
【実施例】
【００１１】
（構成）
まず、図１を用いて本考案の男性用下着１の全体構成を説明する。男性用下着１は、図１、図２に示すように、後身頃片２と、股部片３と、左右の脇部片４Ｒ、４Ｌと、フロントカップ片５と、ウエスト部に縫着された腰ゴム６と、から形成されている。このうち、腰ゴム６は、ナイロン糸やポリウレタン弾性糸から製織された生地を、ウエスト部分に縫着することができる。
【００１２】
後身頃片２は、後身頃を被覆するものであり、股部片３と左右の脇部片４Ｒ、４Ｌとに縫着されている。後身頃片２は、綿９５％以上の生地を用いることが好ましい。
【００１３】
股部片３は、股部を被覆するものであり、後身頃片２と左右の脇部片４Ｒ、４Ｌとフロントカップ片５とに縫着されている。股部片３は、後身頃片２と同様に、綿９５％以上の生地を用いることが好ましい。
【００１４】
左右の脇部片４Ｒ、４Ｌは、左右の脇部を被覆するものであり、後身頃片２と股部片３とフロントカップ片５とに縫着されている。左右の脇部片４Ｒ、４Ｌは、後身頃片２や股部片３と同様に、綿９５％以上の生地を用いることが好ましい。
【００１５】
さらに、左右の脇部片４Ｒ、４Ｌは、前述した後身頃片２と一体的に、シームレスに形成することも可能である。すなわち、後見頃片２と脇部片４Ｒ、４Ｌは、図３に示すように、裁断されずに一体とすることもできる。
【００１６】
フロントカップ片５は、局部を被覆するものであり、股部片３と左右の脇部片４Ｒ、４Ｌと後見頃片２とに縫着されている。フロントカップ片５は、他の構成部品と異なり、綿１００％の生地を用いることが好ましい。
【００１７】
そして、本実施例のフロントカップ片５は、他の要素（２、３、４Ｒ、４Ｌ）と比べて、相対的に厚みの大きい生地から構成されている。すなわち、フロントカップ片５に用いる生地は、後身頃片２、股部片３、脇部片４Ｒ、４Ｌと比べると、伸縮性が小さくされている。フロントカップ片５の厚みとしては、例えば、３００ｇ／ｍ２の厚手の生地を使用することが好ましい。
【００１８】
このフロントカップ片５は、図３に示すように、同じ厚みの生地を２枚重ねることによって、厚みを増すように構成されることが可能である。このように２重構成とすれば、厚みを増すことができるのはもちろんであるが、汗や尿が浸透しにくくなるため、外部からシミや汚れが視認されにくくなる。
【００１９】
上述してきた各構成要素（部品）は、フロントカップ片５を除いて、１枚の筒状編地を裁断した後に縫着されて構成されることが好ましい。逆に言うと、フロントカップ片５のみは、他の構成要素（部品）と異なる生地を用いて構成されることが好ましい。
【００２０】
さらに、図３に示すように、左右の脇部片４Ｒ、４Ｌ（かつ後見頃片２）とフロントカップ片５との間にバインダー部（パイピング）７が縫着されることが好ましい。この場合、バインダー部７は、他の要素（２、３、４Ｒ、４Ｌ）と比べて、相対的に伸縮性の小さい生地から構成されることが好ましい。すなわち、バインダー部７に用いる生地は、後身頃片２、股部片３、脇部片４Ｒ、４Ｌと比べると、伸縮性が小さくされている。
【００２１】
この他、裾部８、８を設けて、フライス生地を使用し、フィット感を高めることが好ましい。裾部分の素材としては、例えば、綿９５％、ポリウレタン５％の生地を使用することができる。
【００２２】
（作用）
次に、図４、図５を用いて、実施例の男性用下着１の作用について説明する。図４（ａ）、図５（ａ）に示すように、従来の男性用下着を装着した状態では、局部のふくらみが視認できる。特に、図５（ａ）に示すように、横から見た場合にはふくらみが抑制されることなく視認される。そのため、細身のスラックス等を履いた際に、局部のふくらみが気になってしまうことになる。
【００２３】
これに対して、図４（ｂ）、図５（ｂ）に示すように、本実施例の男性用下着１を装着した状態では、局部のふくらみがほとんど視認できない。特に、図５（ａ）に示すように、横から見た場合には、ふくらみが効果的に抑制されることがわかる。したがって、細身のスラックス等を履いた際に、局部のふくらみが気になることもない。
【００２４】
（効果）
次に、実施例の男性用下着１の奏する効果を列挙して説明する。
（１）上述してきたように、本実施例の男性用下着１は、腰ゴム６と、後身頃片２と、股部片３と、左右の脇部片４Ｒ、４Ｌと、相対的に厚みの大きい生地から構成されるフロントカップ片５と、を備えている。このように、フロントカップ片５の生地を厚くするという簡単な構造によって、局部のふくらみを効果的に抑制することができる。さらに、外観上、不自然なふくらみが生じることもなく、自然な形状となる。
【００２５】
この他、男性用下着１は、以下の効果をも奏する。
・局部のふくらみを徹底的に抑制できる。したがって、スラックスやスキニーなどをきれいに履きこなすことができる。
・通気性や吸水性がよく、履き心地に優れている。このように、常に使用される製品として高い機能を兼ね備えている。
・パッドなどは使用せずに生地の伸縮性を活かした設計となっている。ミニマルなデザインで長く使用することができる。
【００２６】
（２）また、フロントカップ片５は、所定の厚みの生地を二重に重ね合わされて構成されることが好ましい。このように２重構成とすれば、厚みを増すことができるのはもちろんであるが、汗や尿が浸透しにくくなるため、外部からシミや汚れが視認されにくくなる。
【００２７】
（３）さらに、左右の脇部片４Ｒ、４Ｌと、フロントカップ片５と、の間のバインダー部７であって、相対的に伸縮性の小さい生地から構成される、バインダー部７をさらに備えることが好ましい。このようにバンダー部７を有することで、境界部分の剛性をいっそう高めることで型崩れを防止することができる。
【００２８】
（４）また、後見頃片２と左右の脇部片４Ｒ、４Ｌとは、シームレスに一体に製織されていることが好ましい。このように一体に製織すれば、縫い目を少なくして工程を簡略化できるうえ、履き心地も向上させることができる。
【００２９】
以上、図面を参照して、本考案の実施例を詳述してきたが、具体的な構成は、この実施例に限らず、本考案の要旨を逸脱しない程度の設計的変更は、本考案に含まれる。
【００３０】
例えば、実施例では、本考案の男性用下着として、ボクサーブリーフを例に挙げて説明したが、これに限定されるものでない。他にも、トレーニングパンツなどの類似の衣類や下着類にも、本発明を適用することができる。
【符号の説明】
【００３１】
１          男性用下着
２          後身頃片
３          股部片
４Ｒ        脇部片（右）
４Ｌ        脇部片（左）
５          フロントカップ片
６          腰ゴム
７          バインダー部
８          裾部
【図１】
0003232699.tif 000003
【図２】
0003232699.tif 000004
【図３】
0003232699.tif 000005
【図４】
0003232699.tif 000006
【図５】
0003232699.tif 000007